(57)【要約】【課題】イカやサンマ等の魚類に対して従来の漁法に近い操業形態のままでも、漁獲の低下を伴わずに省電力化を実現することが可能なＬＥＤ集魚灯を提供する。【解決手段】漁船に取付けられ、船上からの光で魚類を集めるＬＥＤ集魚灯であって、青色ＬＥＤに蛍光体を組み合わせて形成された擬似白色ＬＥＤと、この擬似白色ＬＥＤの光照射面側に配置され青色波長領域において高い光減衰度を有する黄色フィルタとを備えている。【選択図】図４
2015216914.tif 000002
【特許請求の範囲】
【請求項１】
漁船に取付けられ、船上からの光で魚類を集めるＬＥＤ集魚灯であって、
青色発光ダイオードに蛍光体を組み合わせて形成された擬似白色発光ダイオードと、該擬似白色発光ダイオードの光照射面側に配置され青色波長領域において高い光減衰度を有する黄色フィルタとを備えていることを特徴とするＬＥＤ集魚灯。
【請求項２】
複数の前記擬似白色発光ダイオードを配置した発光ダイオード基板と、少なくとも前記複数の擬似白色発光ダイオード及び前記発光ダイオード基板を内部に収容する筐体と、該筐体の前面に密封的に取付けられたカバー部材とを備えており、前記黄色フィルタは黄色平板状フィルタを兼用する前記カバー部材であることを特徴とする請求項１に記載のＬＥＤ集魚灯。
【請求項３】
複数の前記擬似白色発光ダイオードを配置した発光ダイオード基板と、少なくとも前記複数の擬似白色発光ダイオード及び前記発光ダイオード基板を内部に収容する筐体と、該筐体の前面に密封的に取付けられた透明なカバー部材とを備えており、前記黄色フィルタは前記カバー部材とは別個に該カバー部材の光照射面側に配置された黄色平板状フィルタであることを特徴とする請求項１に記載のＬＥＤ集魚灯。
【請求項４】
複数の前記擬似白色発光ダイオードを配置した発光ダイオード基板と、少なくとも前記複数の擬似白色発光ダイオード及び前記発光ダイオード基板を内部に収容する筐体と、該筐体の前面に密封的に取付けられたカバー部材とを備えており、前記黄色フィルタは前記カバー部材とは別個に前記筐体内に設けられていることを特徴とする請求項１に記載のＬＥＤ集魚灯。
【請求項５】
前記黄色フィルタは、互いに平行かつ交互に形成されたストリップ状の黄色透明部とストリップ状の完全透明部とを備えており、複数の前記擬似白色発光ダイオードの前面に前記黄色透明部又は前記完全透明部のどちらかが位置するように移動可能に構成されていることを特徴とする請求項４に記載のＬＥＤ集魚灯。
【請求項６】
前記黄色平板状フィルタが、黄色の透明板であることを特徴とする請求項２から５のいずれか１項に記載のＬＥＤ集魚灯。
【請求項７】
前記黄色平板状フィルタが、透明板上に黄色フィルタ層を被着して構成されていることを特徴とする請求項２から５のいずれか１項に記載のＬＥＤ集魚灯。
【請求項８】
前記黄色フィルタ層が、黄色塗料を塗布して構成されていることを特徴とする請求項７に記載のＬＥＤ集魚灯。
【請求項９】
前記黄色フィルタ層が、黄色フィルムから構成されていることを特徴とする請求項７に記載のＬＥＤ集魚灯。
【発明の詳細な説明】
【技術分野】
【０００１】
本発明は、漁船に取付けられ、船上からの光でイカやサンマ等の魚類を集め、効率良く漁を行うための、発光ダイオード（ＬＥＤ）を用いたＬＥＤ集魚灯に関する。
【背景技術】
【０００２】
漁船に設けられる集魚灯は、多数の光源（白熱電球、メタルハライド灯）を船体の周囲位置に並設し、船上から海面を照射して魚類を集め、かつ留まらせるために使用される。イカ漁やサンマ漁などの漁船においては、集魚灯を夜間に点灯させて船体両側の水面を照らし、魚類が船体の近くに集まりかつ留まる習性を利用して捕獲を行っている。
【０００３】
イカ漁やサンマ漁においては大光量を必要としかつ長時間使用するために、消費電力が多大となり、燃料高騰による燃料消費削減を目的とした場合に、集魚灯が大きな足かせとなってしまっている。
【０００４】
近年、消費電力を削減するために、メタルハライドランプや白熱電球に代えて、青色光を出射する青色ＬＥＤを光源とする集魚灯が提案されている（例えば、特許文献１参照）。
【０００５】
ＬＥＤ集魚灯の特徴は、従来の大光量の集魚灯が全周囲を照射していたのに対し、特定の方向のみ照射できる面発光の特性と、高い発光効率による省電力効果であるが、イカ漁やサンマ漁用集魚灯向けに開発された青色ＬＥＤの最大の特徴は海水への透過性が高くイカやサンマが最も良く見えるとされる青色の領域の光を集中的に発光することにある。図１はこの種の青色ＬＥＤの放射照度分布を示している。
【先行技術文献】
【特許文献】
【０００６】
【特許文献１】特開２００２−８４９２５号公報
【発明の概要】
【発明が解決しようとする課題】
【０００７】
しかしながら、図１に示すような青色の領域を中心に発光する放射照度分布を有するＬＥＤ集魚灯を使用して実際に漁を行ってみると、この青色ＬＥＤの発光に対してイカやサンマは思ったような反応を示さず、消費電力を低減した以上に漁獲が大幅に低下してしまう結果となった。
【０００８】
一方、青色ＬＥＤを発光体として黄色の蛍光体を発光させることにより疑似的に白色に見える、図２に示すような放射照度分布を有する擬似白色ＬＥＤを用いたＬＥＤ集魚灯が存在する。この種のＬＥＤ集魚灯を使用して漁を行った場合、青色ＬＥＤのみを使用したＬＥＤ集魚灯と比較してわずかながら漁獲の改善は見られたものの、従来の集魚灯との比較においては、漁獲量が大きく落ちる結果となった。
【０００９】
従って本発明の目的は、イカやサンマ等の魚類に対して従来の漁法に近い操業形態のままでも、漁獲の低下を伴わずに省電力化を実現することが可能なＬＥＤ集魚灯を提供することにある。
【課題を解決するための手段】
【００１０】
本発明によれば、漁船に取付けられ、船上からの光で魚類を集めるＬＥＤ集魚灯であって、青色ＬＥＤに蛍光体を組み合わせて形成された擬似白色ＬＥＤと、この擬似白色ＬＥＤの光照射面側に配置され青色波長領域において高い光減衰度を有する黄色フィルタとを備えたＬＥＤ集魚灯が提供される。
【００１１】
擬似白色ＬＥＤとこの黄色フィルタとの組合せにより、青色波長領域の光が大幅に減衰するため、イカやサンマ等の魚類に過剰な刺激を与えることがなくなり、イカやサンマ等の魚類が忌避的な行動を起こすことがなくなる。また、海中での青色領域の光の拡散効果が高いあまりに釣り針に対する背景とのコントラストの消失が生じて釣り逃がしの発生するおそれもなくなる。その結果、従来の手法と同じ手法でＬＥＤ集魚灯を操作した場合にも魚類を良好に留めることができ、漁獲量が低減しない。もちろん、ＬＥＤを用いているため、消費電力を大幅に低減化することができ、また寿命も非常に長い。
【００１２】
複数の擬似白色ＬＥＤを配置したＬＥＤ基板と、少なくともこれら複数の擬似白色ＬＥＤ及びＬＥＤ基板を内部に収容する筐体と、筐体の前面に密封的に取付けられたカバー部材とを備えており、黄色フィルタは黄色平板状フィルタを兼用するこのカバー部材であることが好ましい。
【００１３】
複数の擬似白色ＬＥＤを配置したＬＥＤ基板と、少なくともこれら複数の擬似白色ＬＥＤ及びＬＥＤ基板を内部に収容する筐体と、筐体の前面に密封的に取付けられた透明なカバー部材とを備えており、黄色フィルタはカバー部材とは別個にカバー部材の光照射面側に配置された黄色平板状フィルタであることも好ましい。
【００１４】
複数の擬似白色ＬＥＤを配置したＬＥＤ基板と、少なくとも複数の擬似白色ＬＥＤ及びＬＥＤ基板を内部に収容する筐体と、この筐体の前面に密封的に取付けられたカバー部材とを備えており、黄色フィルタはカバー部材とは別個に筐体内に設けられていることも好ましい。
【００１５】
この場合、黄色フィルタは、互いに平行かつ交互に形成されたストリップ状の黄色透明部とストリップ状の完全透明部とを備えており、複数の擬似白色ＬＥＤの前面に黄色透明部又は完全透明部のどちらかが位置するように移動可能に構成されていることがより好ましい。擬似白色ＬＥＤの光を黄色フィルタを透過させるか、黄色フィルタを透過させることなく完全に透明な部分をそのまま透過させるかを選択することができる。
【００１６】
この場合、黄色平板状フィルタが、黄色の透明板であるか、又は透明板上に黄色フィルタ層を被着して構成されていることがより好ましい。
【００１７】
黄色フィルタ層が、黄色塗料を塗布して構成されているか、又は黄色フィルムから構成されていることがさらに好ましい。
【発明の効果】
【００１８】
本発明によれば、従来の手法と同じ手法でＬＥＤ集魚灯を操作した場合にも魚類を良好に留めることができ、漁獲量が低減しない。もちろん、ＬＥＤを用いているため、消費電力を大幅に低減化することができ、また寿命も非常に長い。
【図面の簡単な説明】
【００１９】
【図１】従来の青色ＬＥＤの放射照度分布を示す特性図である。
【図２】従来の擬似白色ＬＥＤの放射照度分布を示す特性図である。
【図３】本発明の第１の実施形態としてのＬＥＤ集魚灯の構成例を概略的に示しており、（Ａ）は立面図、（Ｂ）は一部破断平面図、及び（Ｃ）は（Ｂ）におけるＣ−Ｃ線断面図である。
【図４】第１の実施形態におけるＬＥＤ集魚灯の構成を簡略化して示す模式図である。
【図５】第１の実施形態における透明アクリル平板の透過率の周波数分布を表す特性図である。
【図６】第１の実施形態における黄色フィルタを透過した擬似白色ＬＥＤの放射照度のスペクトル分布特性図である。
【図７】海水に対する太陽光の透過率の周波数分布を０．５ｍ、１ｍ、５ｍ及び１０ｍの各水深別に表す特性図である。
【図８】本発明の第２の実施形態におけるＬＥＤ集魚灯の構成を簡略化して示す模式図である。
【図９】第２の実施形態における印刷用インキの透過率の周波数分布を表す特性図である。
【図１０】本発明の第３の実施形態におけるＬＥＤ集魚灯の構成を簡略化して示す模式図である。
【図１１】本発明の第４の実施形態におけるＬＥＤ集魚灯の構成を簡略化して示す模式図である。
【図１２】本発明の第５の実施形態におけるＬＥＤ集魚灯の構成を簡略化して示す模式図である。
【図１３】本発明の第６の実施形態におけるＬＥＤ集魚灯の構成を簡略化して示す模式図である。
【図１４】本発明の第７の実施形態におけるＬＥＤ集魚灯の構成を簡略化して示す模式図である。
【図１５】本発明の第８の実施形態におけるＬＥＤ集魚灯の構成を簡略化して示す模式図である。
【発明を実施するための形態】
【００２０】
図３及び図４は、本発明の第１の実施形態としてのＬＥＤ集魚灯の構成例を概略的に示している。
【００２１】
図３に示すように、この第１の実施形態におけるＬＥＤ集魚灯は、裏面に冷却用フィン１０ａが形成された本体部材１０と、この本体部材１０の前面に配置された透明な平板状のカバー部材１１と、カバー部材１１を本体部材１０との間に挟み、複数のボルト１３及びシール部材１４等を用いて密封的に取付ける枠部材１２とを備えている。本体部材１０及び枠部材１２はアルミニウム材料をダイキャストで形成されており、カバー部材１１は後述するように、光透過性の黄色平板状フィルタを兼用している。本体部材１０及び枠部材１２は筐体を構成しており、この筐体とカバー部材１１とが密封的に取付けられることによって内部が水密に保たれている。
【００２２】
図３及び図４に示すように、この筐体の内部には、ＬＥＤ基板１５がボルト１６等によって本体部材１０に固定されて設けられている。ＬＥＤ基板１５の表面上には多数（図３の例では１０５個）のチップ型ＬＥＤ１７が図３に示すような配列又はその他の任意の配列で固着されている。ＬＥＤ基板１５には、これらチップ型ＬＥＤ１７に電気的に接続されたプリント配線部が形成されており、さらに、このプリント配線部に電気的に接続された駆動抵抗及び定電流ＩＣ等の電源回路が搭載されている。これら電源回路は、本体部材１０に設けられた防水ソケット１８を介して電源ケーブル１９に接続されている。
【００２３】
筐体の内部において、チップ型ＬＥＤ１７の前面には、黄色平板状フィルタを兼用するカバー部材１１が設けられており、チップ型ＬＥＤ１７から出射された光がこのカバー部材１１を通過して外部に放射されるように構成されている。
【００２４】
チップ型ＬＥＤ１７は、青色ＬＥＤに蛍光体を組み合わせて形成された擬似白色ＬＥＤであり、本実施形態においては、例えば日亜化学工業株式会社製のＮＳ６Ｗ１８３Ａを使用している。この擬似白色ＬＥＤの放射照度分布は前述した図２に示す通りである。ただし、同図において横軸は波長（ｎｍ）、縦軸は放射照度（μｗ／ｃｍ２／ｎｍ）である。
【００２５】
カバー部材１１を兼用する黄色平板状フィルタは、魚類（例えばイカやサンマ）の視感度が高い青色波長領域（４００〜５００ｎｍ）において高い光減衰度を有する黄色フィルタである。本実施形態におけるこの黄色平板状フィルタは、例えば三菱レイヨン株式会社の着色透明樹脂板  ２１２  レモンのごとき黄色の透明アクリル板又は透明ポリカーボネート板のごとき黄色透明樹脂板を用いている。この黄色透明樹脂板の厚さとしては、充分な強度が確保できる２．０ｍｍ以上であることが望ましい。
【００２６】
図５はこの黄色透明樹脂板の透過率の周波数分布を示している。また、図６の実線は黄色平板状フィルタとしてこの黄色透明樹脂板を用いた場合のＬＥＤ集魚灯の放射照度周波数分布の一例を示している。光源としては、破線で示した放射照度分布を有する上述の擬似白色ＬＥＤを用いている。ただし、図５において横軸は波長（ｎｍ）、縦軸は透過率であり、図６において横軸は波長（ｎｍ）、縦軸は放射照度（μｗ／ｃｍ２／ｎｍ）である。
【００２７】
図７は海水に対する太陽光の透過率の周波数分布を０．５ｍ、１ｍ、５ｍ及び１０ｍの各水深別に表している。ただし、同図において横軸は波長（ｎｍ）、縦軸は透過率である。同図に示すように、水深が５ｍ程度より浅い場合、青色波長領域（４００〜５００ｎｍ）における光透過率は赤色波長領域（６３０〜７３０ｎｍ）の場合と比較して５倍程度高い。即ち、水深０．５ｍで０．９１／０．７５＝約１．２１、水深５ｍで０．５８／０．０９＝約６．４４となり、約５．３倍となる。なお、水深が５ｍより深くなると赤色波長領域では透過率がゼロに近くなるため、考慮していない。
【００２８】
このように、青色波長領域の光は、海中において、５倍程度強く届くこととなる。従って、図６に示すように、この青色波長領域におけるカット率を約８０％以上とすることにより、海水の透過率特性に見合った放射照度分布を得ることができる。
【００２９】
擬似白色ＬＥＤからの光をそのまま放射していた従来のＬＥＤ集魚灯においては、図２に示すように青色波長領域の放射照度が著しく高くさらに海水のこの青色波長領域の光透過性が非常に高いため、ＬＥＤ集魚灯からの光に対してイカやサンマは集まるよりも忌避的な行動を起こして逃げてしまうか、又は海中での青色領域の光の拡散効果が高いため釣り針に対する背景とのコントラストの消失が生じて釣り逃がしが発生し、その結果、漁獲量の低減が生じていたものと思われる。これに対して本実施形態によれば、図６の実線に示すように、イカやサンマの視感度が非常に高く、かつ海水の透過率が高い波長４００〜５００ｎｍの青色波長領域においてほぼゼロとなる周波数分布の放射照度が得られる。このため、イカやサンマ等の魚類に対して従来の集魚灯に代えてかつその手法と同じ手法でＬＥＤ集魚灯を操作した場合にもイカやサンマ等の魚類を良好に留めることができ、漁獲量が低減しない。もちろん、ＬＥＤを用いているため、消費電力を大幅に低減化することができ、また寿命も非常に長い。
【００３０】
図８は本発明の第２の実施形態におけるＬＥＤ集魚灯の構成を簡略化して示している。
【００３１】
本実施形態では、カバー部材及び黄色フィルタの構成が第１の実施形態の場合と相違するのみであり、その他の構成は第１の実施形態の場合と全く同様である。従って、以下の説明は、両者の相違する部分についてのみ行う。また、両実施形態において同様の構成要素には同じ参照符号を用いることとする。
【００３２】
本実施形態においては、本体部材１０及び枠部材１２からなる筐体の前面に完全に透明なカバー部材８１が密封的に取付けられており、黄色フィルタは、このカバー部材８１の前面に黄色透過フィルタ層８６を被着して構成されている。カバー部材８１としては、例えば旭硝子株式会社のカーボグラスＳＧ-ＡＨのごとき透明のポリカーボネート板で厚さ２．０〜３．０ｍｍのものからなる透明平板を用いている。黄色透過フィルタ層は第１の実施形態の黄色フィルタと同様のスペクトル分布を有しているものであれば、フィルム層や塗料層等どのようなものであっても良い。本実施形態では、例えば、株式会社中川ケミカルの透明フィルムであるタフカルのレモンイエロー（４３２１Ｃ）、又は黄色の印刷用インキを塗布している。黄色の印刷用インキとしては、例えば株式会社セイコーアドバンス社のＬＯＶ２０８プロセスイエローを用いる。図９はこの印刷用インキの透過率の周波数分布を表している。ただし、同図において横軸は波長（ｎｍ）、縦軸は透過率である。
【００３３】
本実施形態によれば、図６の実線に示すように、イカやサンマの視感度が非常に高く、かつ海水の透過率が高い波長４００〜５００ｎｍの青色波長領域においてほぼゼロとなる周波数分布の放射照度が得られる。このため、イカやサンマ等の魚類に対して従来の集魚灯に代えてかつその手法と同じ手法でＬＥＤ集魚灯を操作した場合にもイカやサンマ等の魚類を良好に留めることができ、漁獲量が低減しない。もちろん、ＬＥＤを用いているため、消費電力を大幅に低減化することができ、また寿命も非常に長い。
【００３４】
図１０は本発明の第３の実施形態におけるＬＥＤ集魚灯の構成を簡略化して示している。
【００３５】
本実施形態では、カバー部材及び黄色フィルタの構成が第１の実施形態の場合と相違するのみであり、その他の構成は第１の実施形態の場合と全く同様である。従って、以下の説明は、両者の相違する部分についてのみ行う。また、両実施形態において同様の構成要素には同じ参照符号を用いることとする。
【００３６】
本実施形態においては、本体部材１０及び枠部材１２からなる筐体の前面に完全に透明なカバー部材１０１が密封的に取付けられており、黄色フィルタは、このカバー部材１０１の前面にカバー部材１０１とは別個に設けられ、ビス１０９等によって取付けられた黄色平板状フィルタ１０８から構成されている。カバー部材１０１としては、例えば旭硝子株式会社のカーボグラスＳＧ-ＡＨのごとき透明のポリカーボネート板で厚さ２．０〜３．０ｍｍのものからなる透明平板を用いている。黄色平板状フィルタ１０８は第１の実施形態の黄色フィルタと同様のスペクトル分布を有している、例えば三菱レイヨン株式会社の着色透明樹脂板  ２１２  レモンのごとき黄色の透明アクリル板又は透明ポリカーボネート板のごとき黄色透明樹脂板を用いている。この黄色透明樹脂板の厚さとしては、充分な強度が確保できる２．０ｍｍ以上であることが望ましい。
【００３７】
本実施形態によれば、図６の実線に示すように、イカやサンマの視感度が非常に高く、かつ海水の透過率が高い波長４００〜５００ｎｍの青色波長領域においてほぼゼロとなる周波数分布の放射照度が得られる。このため、イカやサンマ等の魚類に対して従来の集魚灯に代えてかつその手法と同じ手法でＬＥＤ集魚灯を操作した場合にもイカやサンマ等の魚類を良好に留めることができ、漁獲量が低減しない。もちろん、ＬＥＤを用いているため、消費電力を大幅に低減化することができ、また寿命も非常に長い。
【００３８】
図１１は本発明の第４の実施形態におけるＬＥＤ集魚灯の構成を簡略化して示している。
【００３９】
本実施形態では、黄色フィルタの構成が第３の実施形態の場合と相違するのみであり、その他の構成は第３の実施形態の場合と全く同様である。従って、以下の説明は、両者の相違する部分についてのみ行う。また、両実施形態において同様の構成要素には同じ参照符号を用いることとする。
【００４０】
本実施形態においては、本体部材１０及び枠部材１２からなる筐体の前面に完全に透明なカバー部材１１１が密封的に取付けられており、黄色フィルタは、このカバー部材１１１の前面にカバー部材１１１とは別個に設けられ、ビス１１９等によって取付けられた透明平板部材１１８上に黄色透過フィルタ層１１６を被着して構成されている。カバー部材１１１及び透明平板部材１１８としては、例えば旭硝子株式会社のカーボグラスＳＧ-ＡＨのごとき透明のポリカーボネート板で厚さ２．０〜３．０ｍｍのものからなる透明平板を用いている。黄色透過フィルタ層は第３の実施形態の黄色フィルタと同様のスペクトル分布を有しているものであれば、フィルム層や塗料層等どのようなものであっても良い。本実施形態では、例えば、株式会社中川ケミカルの透明フィルムであるタフカルのレモンイエロー（４３２１Ｃ）、又は黄色の印刷用インキを塗布している。黄色の印刷用インキとしては、株式会社セイコーアドバンス社のＬＯＶ２０８プロセスイエローを用いることができる。
【００４１】
本実施形態によれば、図６の実線に示すように、イカやサンマの視感度が非常に高く、かつ海水の透過率が高い波長４００〜５００ｎｍの青色波長領域においてほぼゼロとなる周波数分布の放射照度が得られる。このため、イカやサンマ等の魚類に対して従来の集魚灯に代えてかつその手法と同じ手法でＬＥＤ集魚灯を操作した場合にもイカやサンマ等の魚類を良好に留めることができ、漁獲量が低減しない。もちろん、ＬＥＤを用いているため、消費電力を大幅に低減化することができ、また寿命も非常に長い。
【００４２】
図１２は本発明の第５の実施形態におけるＬＥＤ集魚灯の構成を簡略化して示している。
【００４３】
本実施形態では、カバー部材及び黄色フィルタの構成が第１の実施形態の場合と相違するのみであり、その他の構成は第１の実施形態の場合と全く同様である。従って、以下の説明は、両者の相違する部分についてのみ行う。また、両実施形態において同様の構成要素には同じ参照符号を用いることとする。
【００４４】
本実施形態においては、本体部材１０及び枠部材１２からなる筐体の前面に完全に透明なカバー部材１２１が密封的に取付けられており、黄色フィルタは、このカバー部材１２１の後側の筐体内にカバー部材１２１とは別個に設けられ、スペーサ１２３及びビス１２９等によってＬＥＤ基板１５のチップ型ＬＥＤ１７の前面に取付けられた黄色平板状フィルタ１２８から構成されている。カバー部材１２１としては、例えば旭硝子株式会社のカーボグラスＳＧ-ＡＨのごとき透明のポリカーボネート板で厚さ２．０〜３．０ｍｍのものからなる透明平板を用いている。黄色平板状フィルタ１２８は第１の実施形態の黄色フィルタと同様のスペクトル分布を有している、例えば三菱レイヨン株式会社の着色透明樹脂板  ２１２  レモンのごとき黄色の透明アクリル板又は透明ポリカーボネート板のごとき黄色透明樹脂板を用いている。この黄色透明樹脂板の厚さとしては、充分な強度が確保できる２．０ｍｍ以上であることが望ましい。
【００４５】
本実施形態によれば、図６の実線に示すように、イカやサンマの視感度が非常に高く、かつ海水の透過率が高い波長４００〜５００ｎｍの青色波長領域においてほぼゼロとなる周波数分布の放射照度が得られる。このため、イカやサンマ等の魚類に対して従来の集魚灯に代えてかつその手法と同じ手法でＬＥＤ集魚灯を操作した場合にもイカやサンマ等の魚類を良好に留めることができ、漁獲量が低減しない。もちろん、ＬＥＤを用いているため、消費電力を大幅に低減化することができ、また寿命も非常に長い。
【００４６】
図１３は本発明の第６の実施形態におけるＬＥＤ集魚灯の構成を簡略化して示している。
【００４７】
本実施形態では、カバー部材及び黄色フィルタの構成が第２の実施形態の場合と相違するのみであり、その他の構成は第２の実施形態の場合と全く同様である。従って、以下の説明は、両者の相違する部分についてのみ行う。また、両実施形態において同様の構成要素には同じ参照符号を用いることとする。
【００４８】
本実施形態においては、本体部材１０及び枠部材１２からなる筐体の前面に完全に透明なカバー部材１３１が密封的に取付けられており、黄色フィルタは、このカバー部材１３１の後側の筐体内にカバー部材１３１とは別個に設けられ、スペーサ１３３及びビス１３９等によってＬＥＤ基板１５のチップ型ＬＥＤ１７の前面に取付けられている。即ち、黄色フィルタは、完全に透明な透明平板部材１３８の前面に黄色透過フィルタ層１３６を被着して構成されている。透明平板部材１３８としては、例えば旭硝子株式会社のカーボグラスＳＧ-ＡＨのごとき透明のポリカーボネート板で厚さ２．０〜３．０ｍｍのものからなる透明平板を用いている。黄色透過フィルタ層は第１の実施形態の黄色フィルタと同様のスペクトル分布を有しているものであれば、フィルム層や塗料層等どのようなものであっても良い。本実施形態では、例えば、株式会社中川ケミカルの透明フィルムであるタフカルのレモンイエロー（４３２１Ｃ）、又は黄色の印刷用インキを塗布している。黄色の印刷用インキとしては、前述した例えば株式会社セイコーアドバンス社のＬＯＶ２０８プロセスイエローを用いる。
【００４９】
本実施形態によれば、図６の実線に示すように、イカやサンマの視感度が非常に高く、かつ海水の透過率が高い波長４００〜５００ｎｍの青色波長領域においてほぼゼロとなる周波数分布の放射照度が得られる。このため、イカやサンマ等の魚類に対して従来の集魚灯に代えてかつその手法と同じ手法でＬＥＤ集魚灯を操作した場合にもイカやサンマ等の魚類を良好に留めることができ、漁獲量が低減しない。もちろん、ＬＥＤを用いているため、消費電力を大幅に低減化することができ、また寿命も非常に長い。
【００５０】
図１４は本発明の第７の実施形態におけるＬＥＤ集魚灯の構成を簡略化して示しており、同図（Ａ）はＬＥＤからの光が黄色フィルタ部分ではなく完全に透明な部分を透過してそのまま透過する場合、同図（Ｂ）はＬＥＤからの光が黄色フィルタを透過する場合をそれぞれ示している。本実施形態においては、黄色フィルタが互いに平行かつ交互に形成されたストリップ状の黄色透明部とストリップ状の完全透明部とを備えており、チップ型ＬＥＤ１７の前面に黄色透明部又は完全透明部のどちらかが位置するように移動可能に構成されている。
【００５１】
本実施形態では、カバー部材及び黄色フィルタの構成並びに黄色フィルタが可動となっている点が第１の実施形態の場合と相違するのみであり、その他の構成は第１の実施形態の場合と全く同様である。従って、以下の説明は、両者の相違する部分についてのみ行う。また、両実施形態において同様の構成要素には同じ参照符号を用いることとする。
【００５２】
本実施形態においては、本体部材１０及び枠部材１２からなる筐体の前面に完全に透明なカバー部材１４１が密封的に取付けられており、黄色フィルタは、このカバー部材１４１の後側の筐体内にカバー部材１４１とは別個に設けられ、ＬＥＤ基板１５のチップ型ＬＥＤ１７の前面に設けられた黄色平板状フィルタ１４８から構成されている。この黄色平板状フィルタ１４８は、図にて手前及び奥方向に沿って伸長するストリップ状の黄色透明部１４８ｂと図にて手前及び奥方向に沿って伸長するストリップ状の完全透明部１４８ａとが図にて左右方向で交互に形成された樹脂板から構成されている。この黄色平板状フィルタ１４８は、シール部材１４９により密封的に取付けられたハンドル１４３によって図にて左右方向に移動可能に構成されている。カバー部材１４１としては、例えば旭硝子株式会社のカーボグラスＳＧ-ＡＨのごとき透明のポリカーボネート板で厚さ２．０〜３．０ｍｍのものからなる透明平板を用いている。黄色平板状フィルタ１４８の黄色透明部１４８ｂは、第１の実施形態の黄色フィルタと同様のスペクトル分布を有している、例えば三菱レイヨン株式会社の着色透明樹脂板  ２１２  レモンのごとき樹脂板であり、完全透明部１４８ａは完全な透明である透明アクリル板又は透明ポリカーボネート板のごとき樹脂板を用いている。この樹脂板の厚さとしては、充分な強度が確保できる２．０ｍｍ以上であることが望ましい。
【００５３】
本実施形態によれば、図１４（Ａ）に示すごとく、ハンドル１４３が図にて左方向に引かれて黄色平板状フィルタ１４８が左方向にスライドしておりストリップ状の完全透明部１４８ａがチップ型ＬＥＤ１７の前面に位置している際は、チップ型ＬＥＤ１７の光が黄色フィルタを通ることなくそのまま外部へ放射される。一方、図１４（Ｂ）に示すごとく、ハンドル１４３が押されて黄色平板状フィルタ１４８が右方向にスライドしておりストリップ状の黄色透明部１４８ｂがチップ型ＬＥＤ１７の前面に位置している際は、チップ型ＬＥＤ１７の光が黄色フィルタを透過して外部へ放射される。このように、本実施形態では、チップ型ＬＥＤ１７の光を黄色フィルタを透過させるか、黄色フィルタを透過させることなく完全に透明な部分をそのまま透過させるかをハンドル１４３の操作により切り替えることができる。
【００５４】
黄色フィルタを透過させた場合、図６の実線に示すように、イカやサンマの視感度が非常に高く、かつ海水の透過率が高い波長４００〜５００ｎｍの青色波長領域においてほぼゼロとなる周波数分布の放射照度が得られる。このため、イカやサンマ等の魚類に対して従来の集魚灯に代えてかつその手法と同じ手法でＬＥＤ集魚灯を操作した場合にもイカやサンマ等の魚類を良好に留めることができ、漁獲量が低減しない。もちろん、ＬＥＤを用いているため、消費電力を大幅に低減化することができ、また寿命も非常に長い。
【００５５】
なお、本実施形態において、黄色平板状フィルタ１４８の位置を図１４（Ａ）と図１４（Ｂ）との間の位置に制御すれば、黄色フィルタを透過して外部へ放射される光量を調整することが可能である。また、ストリップ状の黄色透明部１４８ｂに代えて、チップ型ＬＥＤ１７の前面を覆う他の形状の黄色透明部を用いても良い。
【００５６】
図１５は本発明の第８の実施形態におけるＬＥＤ集魚灯の構成を簡略化して示しており、同図（Ａ）はＬＥＤからの光が黄色フィルタ部分ではなく完全に透明な部分を透過してそのまま透過する場合、同図（Ｂ）はＬＥＤからの光が黄色フィルタを透過する場合をそれぞれ示している。本実施形態においては、黄色フィルタが互いに平行かつ交互に形成されたストリップ状の黄色透明部とストリップ状の完全透明部とを備えており、チップ型ＬＥＤ１７の前面に黄色透明部又は完全透明部のどちらかが位置するように移動可能に構成されている。
【００５７】
本実施形態では、カバー部材及び黄色フィルタの構成並びに黄色フィルタが可動となっている点が第１の実施形態の場合と相違するのみであり、その他の構成は第１の実施形態の場合と全く同様である。従って、以下の説明は、両者の相違する部分についてのみ行う。また、両実施形態において同様の構成要素には同じ参照符号を用いることとする。
【００５８】
本実施形態においては、本体部材１０及び枠部材１２からなる筐体の前面に完全に透明なカバー部材１５１が密封的に取付けられており、黄色フィルタは、このカバー部材１５１の後側の筐体内にカバー部材１５１とは別個に設けられ、ＬＥＤ基板１５のチップ型ＬＥＤ１７の前面に設けられた完全に透明な透明平板部材１５８の後面（ＬＥＤ側の面）に黄色透過フィルタ層１５６を被着して構成されている。カバー部材１５１及び透明平板部材１５８としては、例えば旭硝子株式会社のカーボグラスＳＧ-ＡＨのごとき透明のポリカーボネート板で厚さ２．０〜３．０ｍｍのものからなる透明平板を用いている。この黄色透過フィルタ層１５６は、図にて手前及び奥方向に沿って伸長するストリップ状に形成されており、これによってストリップ状の黄色透明部とストリップ状の完全透明部とが図にて左右方向で交互に形成されることとなる。黄色透過フィルタ層１５６は第１の実施形態の黄色フィルタと同様のスペクトル分布を有しているものであれば、フィルム層や塗料層等どのようなものであっても良い。本実施形態では、例えば、株式会社中川ケミカルの透明フィルムであるタフカルのレモンイエロー（４３２１Ｃ）、又は黄色の印刷用インキを塗布している。黄色の印刷用インキとしては、前述した例えば株式会社セイコーアドバンス社のＬＯＶ２０８プロセスイエローを用いる。
【００５９】
このような構成の黄色フィルタは、シール部材１５９により密封的に取付けられたハンドル１５３によって図にて左右方向に移動可能に構成されている。
【００６０】
本実施形態によれば、図１５（Ａ）に示すごとく、ハンドル１５３が図にて左方向に引かれて透明平板部材１５８及び黄色透過フィルタ層１５６が左方向にスライドしておりストリップ状の完全透明部がチップ型ＬＥＤ１７の前面に位置している際は、チップ型ＬＥＤ１７の光が黄色フィルタを通ることなくそのまま外部へ放射される。一方、図１５（Ｂ）に示すごとく、ハンドル１５３が押されて透明平板部材１５８及び黄色透過フィルタ層１５６が右方向にスライドしておりストリップ状の黄色透明部がチップ型ＬＥＤ１７の前面に位置している際は、チップ型ＬＥＤ１７の光が黄色フィルタを透過して外部へ放射される。このように、本実施形態では、チップ型ＬＥＤ１７の光を黄色フィルタを透過させるか、黄色フィルタを透過させることなく完全に透明な部分をそのまま透過させるかをハンドル１５３の操作により切り替えることができる。
【００６１】
黄色フィルタを透過させた場合、図６の実線に示すように、イカやサンマの視感度が非常に高く、かつ海水の透過率が高い波長４００〜５００ｎｍの青色波長領域においてほぼゼロとなる周波数分布の放射照度が得られる。このため、イカやサンマ等の魚類に対して従来の集魚灯に代えてかつその手法と同じ手法でＬＥＤ集魚灯を操作した場合にもイカやサンマ等の魚類を良好に留めることができ、漁獲量が低減しない。もちろん、ＬＥＤを用いているため、消費電力を大幅に低減化することができ、また寿命も非常に長い。
【００６２】
なお、本実施形態において、透明平板部材１５８及び黄色透過フィルタ層１５６の位置を図１５（Ａ）と図１５（Ｂ）との間の位置に制御すれば、黄色フィルタを透過して外部へ放射される光量を調整することが可能である。また、ストリップ状の黄色透明部に代えて、チップ型ＬＥＤ１７の前面を覆う他の形状の黄色透明部を用いても良い。
【００６３】
なお、上述した実施形態では、擬似白色ＬＥＤとして青色ＬＥＤに黄色蛍光体を組み合わせたものを使用しているが、青色ＬＥＤを用いたその他の構成の擬似白色ＬＥＤを使用しても良い。また、擬似白色ＬＥＤとしてチップ型ＬＥＤを用いているが、砲弾型ＬＥＤ又はその他の種類のＬＥＤを用いても良いことはもちろんである。
【００６４】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００６５】
１０  本体部材
１０ａ  冷却用フィン
１１、８１、１０１、１１１、１２１、１３１、１４１、１５１  カバー部材
１２  枠部材
１３、１６  ボルト
１４、１４９、１５９  シール部材
１５  ＬＥＤ基板
１７  チップ型ＬＥＤ
１８  防水ソケット
１９  電源ケーブル
８６、１１６、１３６、１５６  黄色透過フィルタ層
１０８、１２８、１４８  黄色平板状フィルタ
１１８、１３８、１５８  透明平板部材
１０９、１１９、１２９、１３９  ビス
１２３、１３３  スペーサ
１４３、１５３  ハンドル
１４８ａ  完全透明部
１４８ｂ  黄色透明部
【図１】
2015216914.tif 000003
【図２】
2015216914.tif 000004
【図３】
2015216914.tif 000005
【図４】
2015216914.tif 000006
【図５】
2015216914.tif 000007
【図６】
2015216914.tif 000008
【図７】
2015216914.tif 000009
【図８】
2015216914.tif 000010
【図９】
2015216914.tif 000011
【図１０】
2015216914.tif 000012
【図１１】
2015216914.tif 000013
【図１２】
2015216914.tif 000014
【図１３】
2015216914.tif 000015
【図１４】
2015216914.tif 000016
【図１５】
2015216914.tif 000017